(57)【特許請求の範囲】
【請求項１】
ディスク状記録媒体が収納されたディスクカートリッジが挿入されるディスクホルダと、該ディスクカートリッジの挿入動作に連動して摺動し前記ディスクホルダをカートリッジ挿入・イジェクト位置からカートリッジ装填位置に移動させるスライダーと、該スライダーに対向する位置に設けられたカバー部材と、前記スライダーの摺動動作を減速するダンパ機構とを有する記録媒体装填装置において、
前記ダンパー機構は、
前記スライダーの摺動動作に連動して回動することにより前記カバー部材を摺動する摺動部と、該摺動部を一定圧で前記カバー部材に押圧するバネ部とが一体的に形成され、前記摺動部に粘性抵抗を付与する構成としたことを特徴とする記録媒体装填装置。
【発明の詳細な説明】
【０００１】
【発明の属する技術分野】
本発明は記録媒体装填装置に係り、特にスライダーの急激な摺動動作を減速するように構成されたダンパー機構の改良に関する。
【０００２】
【従来の技術】
例えば、パーソナルコンピュータあるいはワードプロセッサ等の電子装置では、情報を記録または再生する手段として磁気ディスク装置（記録媒体記録再生装置）を装備している。そして、磁気ディスク装置としては、例えば特開平８−５５４０２号公報にみられるように、記録媒体としてのディスクカートリッジが装着されると、ディスクカートリッジ内に収容された磁気ディスクが回転駆動されると共に、磁気ヘッドが磁気ディスクに摺接して磁気記録再生を行うよう構成されたものがある。
【０００３】
また、上記磁気ディスク装置は、ディスクカートリッジを装填位置（磁気ディスクに対し記録再生処理が行われる位置）と挿入・イジェクト位置（ディスクホルダに対しディスクカートリッジが挿入またはイジェクトされる位置）との間で移動させる記録媒体装填装置を有している。
この記録媒体装填装置は、ディスクカートリッジが挿入される挿入・イジェクト位置またはディスクカートリッジが記録再生可能な装填位置に移動可能に設けられたディスクホルダと、ディスクカートリッジの挿入操作により摺動動作を行ってディスクホルダを挿入・イジェクト位置から装填位置へ移動させるスライダと、ディスクホルダが挿入・イジェクト位置にある時にスライダを係止すると共にディスクカートリッジの挿入操作によりスライダの係止を解除するラッチレバー等を有した構成とされている。
【０００４】
上記構成とされた記録媒体装填装置において、ディスクカートリッジが挿入されると、ラッチレバーがディスクカートリッジの端部に押圧されて回動し、これに伴いラッチレバーによるスライダーのロックが解除される。これにより、スライダーは前記コイルバネに移動付勢され、ディスクホルダは装填位置に向け移動する。よって、ディスクホルダに収納されたディスクカートリッジは装填位置に移動され、ディスクカートリッジ内のディスクはターンテーブル上にチャッキングされる。
【０００５】
また、ディスクカートリッジにはシャッターが設けられており、内設された磁気ディスクを保護する構成となっている。このシャッターは、前記したラッチレバーの先端部に設けられた係合部と係合する構成とされている。そして、ディスクカートリッジの挿入操作によりラッチレバーが回動すると、これに伴い係合部はシャッターを開く方向に移動し、これによりシャッターが開かれる構成とされていた。
【０００６】
【発明が解決しようとする課題】
上記のようにラッチレバーによるスライダーのロックが解除されると、スライダーはコイルバネに移動付勢されてディスクホルダは装填位置に向け移動する。しかるに、単にスライダーをコイルバネの弾性力により移動させると、ディスクホルダの下降速度が速くなり、ディスクホルダが装填位置に到達する時に衝撃が発生する。この衝撃は記録媒体装填装置を構成する各構成要素に印加されるため、これに起因して記録媒体装填装置の耐久性が低下するおそれがある。
【０００７】
また、ディスクホルダの下降に伴い、磁気ディスク装置に設けられている磁気ヘッドがディスクホルダに収納された磁気ディスクに摺接するが、上記のようにディスクホルダの下降速度が速いと、磁気ディスクが急激に磁気ディスクと当接するため、磁気ディスク及び磁気ヘッドに損傷が発生するおそれがある。
そこで、上記の問題を解決するために、記録媒体装填装置には従来よりスライダーの移動速度を遅くするためのオイルダンパーが配設されていた。しかるに、周知のようにオイルダンパーは、その内部にオイル及び羽根車等が配設された構成てあるため形状が大きく、よって記録媒体装填装置が大型してしまうという問題点があった。
【０００８】
また、近年、記録媒体装填装置が配設される磁気ディスク装置等の電子機器は小型化，低コスト化が強く望まれており、オイルダンパーを用いた場合には小型化の要望に対応することができない。更に、オイルダンパーは高価であるため、低コスト化の要望に対しても対応することができない。
そこで、本発明は上記課題を解決した記録媒体装填装置を提供することを目的とする。
【０００９】
【課題を解決するための手段】
上記課題を解決するために本発明では、以下のような特徴を有する。
本発明は、ディスク状記録媒体が収納されたディスクカートリッジが挿入されるディスクホルダと、該ディスクカートリッジの挿入動作に連動して摺動し前記ディスクホルダをカートリッジ挿入・イジェクト位置からカートリッジ装填位置に移動させるスライダーと、該スライダーに対向する位置に設けられたカバー部材と、前記スライダーの摺動動作を減速するダンパー機構とを有する記録媒体装填装置において、
前記ダンパー機構は、
前記スライダーの摺動動作に連動して回動することにより前記カバー部材を摺動する摺動部と、該摺動部を一定圧で前記カバー部材に押圧するバネ部とが一体的に形成され、前記摺動部に粘性抵抗を付与する構成としたことを特徴とするものである。
【００１０】
従って、本発明によれば、ダンパー機構がスライダーの摺動動作に連動して回動することによりカバー部材を摺動する摺動部と、摺動部を一定圧でカバー部材に押圧するバネ部とが一体的に形成され、摺動部に粘性抵抗を付与するよう構成されているため、スライダーの摺動動作に伴って摺動部がカバー部材を摺動することにより一定の粘性抵抗が発生する。この抵抗力がスライダーの摺動動作を減速するように作用し、ひいてはディスクホルダがカートリッジ挿入・イジェクト位置またはカートリッジ装填位置に移動する際の加速度を減速させて移動時の衝撃を緩和できる。また、従来用いられていたオイルダンパー等に比べてダンパー機構を小型化でき、よって記録媒体装填装置の小型化を図ることができる。また、部品点数を削減して構成の簡略化と共にコストダウンを図ることができる。
【００１１】
【発明の実施の形態】
次に、本発明の実施の形態について図面と共に説明する。
図１乃至図３は本発明の一実施例である記録媒体装填装置１０の分解斜視図，平面図，側面図，及び斜視図である。また、図４は記録媒体装填装置１０に装填されるディスクカートリッジ２０を示す図であり、（Ａ）はディスクカートリッジ２０の斜視図、（Ｂ）はディスクカートリッジ２０の底面図である。また、図５はディスクカートリッジが挿入される前の状態を示す磁気ディスク装置の平面図である。また、図６ディスクカートリッジが挿入された状態を示す磁気ディスク装置の平面図である。尚、図５、図６ではカバー部材１５を外した状態の内部構成を示している。
【００１２】
本実施例に係る記録媒体装填装置１０は、例えば磁気ディスク装置１１（図５及び図６参照）等のディスク装置に設けられるものである。この記録媒体装填装置１０は、大略するとディスクホルダ１２、スライダー１３、カバー部材１５、シャッター開閉機構１６，及び後述するダンパー機構１７、ホルダロック機構４０、ホルダ・スライダ変形防止機構４２、カートリッジ飛び出し防止部材４４等により構成されている。
【００１３】
この記録媒体装填装置１０は、ディスクカートリッジ２０が挿入されるディスクホルダ１２と、図中矢印Ｘ１，Ｘ２方向に移動してディスクホルダ１２を昇降（図中矢印Ｚ１，Ｚ２方向に移動）させるスライダー１３とが重ね合わされた状態でフレーム１４上に取り付けられることにより、磁気ディスク装置１１に装着される。また、フレーム１４の上部には、カバーとして機能するカバー部材１５が取り付けられる。スライダー１３は、ディスクホルダ１２の上方に位置し、カバー部材１５の下方で矢印Ｘ１，Ｘ２方向に摺動可能に取り付けられている。
【００１４】
ディスクカートリッジ２０は、図４（Ａ）（Ｂ）に示すように、内部に記録媒体となる磁気ディスク２１が装着されており、右側の下面にはカートリッジ飛び出し防止部材４４により係止される凹部２０ａが設けられている。さらに、ディスクカートリッジ２０の下面には、装填位置を規制するための係合凹部２０ｂが設けられている。
【００１５】
また、ディスクカートリッジ２０は、ディスクホルダー１２への挿入方向前方（図中、矢印Ｘ２方向前方）にはシャッター２３が配設されている。このシャッター２３は図中矢印Ｙ１，Ｙ２方向に移動する構成とされている。
シャッター２３にはシャッター開口２４が形成されており、閉じられた状態においてディスクカートリッジ２０に設けられた開口２２（図４（Ａ）（Ｂ）中、破線で示す）を塞ぐよう構成されている。また、ディスクカートリッジ２０がディスクホルダ１２に挿入されることにより、シャッター２３は後述するシャッター開閉機構１６により開かれる構成とされている。このシャッター２３が開かれた状態において、シャッター開口２４と開口２２とは一致し、よって磁気ディスク２１はシャッター開口２４及び開口２２を介して露出され記録再生処理が可能な状態となる。
【００１６】
以下、記録媒体装填装置１０を構成する各構成要素について詳述する。
ディスクホルダ１２は、大略すると平面部１２ａと、この平面部１２ａの両側からディスクカートリッジ２０を抱え込むように折曲されたカートリッジガイド部１２ｂ，１２ｃとから構成されている。従って、平面部１２ａと両側のカートリッジガイド部１２ｂ，１２ｃに囲まれた空間がディスクカートリッジ２０が挿入されるカートリッジ挿入部となる。
【００１７】
また、ディスクホルダ１２の平面部１２ａには、ヘッドキャリッジ１８が移動するため開口１２ｄ，１２ｐが設けられている。また、平面部１２ａの開口部１２ｄの矢印Ｘ１方向側の位置には、若干量突出した段部１２ｓが形成されており、この段部１２ｓの略中央位置には軸部１２ｇが立設されている。更に、段部１２ｓの軸部１２ｇを中心として両側部には、溝部１２ｋ，１２ｌが形成されている。尚、軸部１２ｇには、後述するシャッター開閉機構１６を構成するシャッターアーム２７が配設される。
【００１８】
一方、平面部１２ａの図中右肩部（平面部１２ａの図中矢印Ｘ２方向で、かつ矢印Ｙ２方向の端部）には軸部１２ｍが立設されている。また、この軸部１２ｍの近傍位置にはリブ１２ｕが立設されると共に、切り欠き部１２ｑ，１２ｒが形成されている。尚、軸部１２ｍには、後述するシャッター開閉機構１６を構成するラッチレバー３２が配設される。
【００１９】
更に、カートリッジガイド部１２ｂ，１２ｃの側面部には、外側に向け突出した係合ピン１２ｅとガイド部１２ｆが形成されている。この係合ピン１２ｅは、後述するようにスライダー１３に形成されている傾斜溝１３ｄと係合する。また、ガイド部１２ｆはフレーム１４に上下方向（図中矢印Ｚ１，Ｚ２方向）に形成された案内溝（図示せず）に摺動自在に係合される。このようにガイド部１２ｆがフレーム１４に形成された案内身溝と係合することにより、ディスクホルダ１２は上下方向（図中矢印Ｚ１，Ｚ２方向）へのみ移動する構成となっている。
【００２０】
また、カートリッジガイド部１２ｃの略中央位置には凹部１２ｔが形成されており、この凹部１２ｔには誤挿入防止用バネ３３が配設される。この誤挿入防止用バネ３３の先端部は、凹部１２ｔからディスクホルダ１２の内部に突出するよう構成されており、ディスクカートリッジ２０が適正にディスクホルダ１２に挿入された際、ディスクカートリッジ２０に形成されている誤挿入防止部２６（テーパ部）と係合するよう構成されている。
【００２１】
よって、ディスクカートリッジ２０が適正にディスクホルダ１２に挿入された場合は、テーパ状の誤挿入防止部２６により誤挿入防止用バネ３３は変位しディスクホルダ１２の挿入を許容するが、不適正に挿入された場合にはディスクカートリッジ２０は誤挿入防止用バネ３３に当接し、その挿入を阻止される構成となっている。
【００２２】
スライダー１３は、大略するとディスクホルダ１２の上方で図中矢印Ｘ１，Ｘ２方向に移動（スライド）する平板部１３ａと、この平板部１３ａの両側より下方に折曲された側面１３ｂ，１３ｃとにより構成されている。平板部１３ａの略中央位置には中央開口１３ｆが形成されており、その内部に延出した延出部１３ｎにはダンパー用連結ピン１３ｍが立設されている。また、平板部１３ａの両側部（図中矢印Ｙ１，Ｙ２方向側の側部）には、フレーム１４の両側面１４ａ，１４ｂ（図５参照）の上端に当接する当接部１３ｅが形成されている。
【００２３】
また、スライダー１３の図中右肩部（平板部１３ａの図中矢印Ｘ２方向で、かつ矢印Ｙ２方向の端部）には、Ｌ字状溝１３ｋが形成されることにより、カム部３１が形成されている。このカム部３１は、図中矢印Ｙ１，Ｙ２方向に延在する第１の辺部３１ａと、図中矢印Ｘ１，Ｘ２方向に延在する第２の辺部３１ｂとを有している。
【００２４】
また、スライダー１３の側面１３ｂ，１３ｃには、ディスクホルダ１２に配設された係合ピン１２ｅと係合する傾斜溝１３ｄが形成されている。また、前記したように、ディスクホルダ１２は上下方向（図中矢印Ｚ１，つ２方向）にのみ移動を許容されている。よって、スライダー１３が図中矢印Ｘ１，Ｘ２方向に移動することにより、ディスクホルダ１２はスライダー１３に対し昇降動作する。
【００２５】
具体的には、スライダー１３が図中矢印Ｘ１方向に移動することによりディスクホルダ１２は装填位置（磁気ディスク２１に対し記録再生処理が行われる位置）に向け下降（図中矢印Ｚ２方向に移動）し、スライダー１３が図中矢印Ｘ２方向に移動することによりディスクホルダ１２は排出位置（ディスクホルダ１２に対しディスクカートリッジ２０が挿入脱される位置）に向け上昇（図中矢印Ｚ１方向に移動）する。
【００２６】
また、スライダー１３の平板部１３ａには、スライダー１３を図中矢印Ｘ１方向に付勢するコイルバネ２９，３０が装架される開口１３ｇ，１３ｈが設けられている（開口１３ｇは中央開口１３ｆと一体化している）。この開口１３ｇ，１３ｈは矢印Ｘ１，Ｘ２方向に延在するよう形成されており、矢印Ｘ２方向の端部にコイルバネ２９，３０の一端が掛止される掛止部１３ｉ，１３ｊが突出形成されている。
【００２７】
また、コイルバネ２９，３０の他端は、ディスクホルダ１２の平面部１２ａに突出形成された掛止部１２ｉ，１２ｊに掛止されている。このため、スライダー１３は、コイルバネ２９，３０のバネ力により常に矢印Ｘ１方向に付勢された構成となっている。
尚、フレーム１４には磁気ディスク２１をクランプするターンテーブル（図示せず）と、磁気ヘッド１９（図５及び図６参照）を支持するヘッドキャリッジ１８が図中矢印Ｘ１，Ｘ２方向に移動可能に取り付けられている。また、フレーム１４の背面には、ヘッドキャリッジ１８を駆動するモータが配設されると共に、ターンテーブル及びこれを回転駆動するディスクモータが搭載された回路基板（図に現れず）が取り付けられる。
【００２８】
カバー部材１５は、両側面１４ａ，１４ｂの上端部に固定されるようにフレーム１４に配設される（スライダー１３の移動は許容する構成となっている）。即ち、カバー部材１５はフレーム１４に配設された状態において、スライダー１３と対向した構成となる。このカバー部材１５の背面には、後述するダンパー機構１６が配設される。
【００２９】
また、カバー部材１５の側面には凹部１５ｃが形成されており、スライダー１３の側面１３ｃに立設形成された上方延出部１３ｌはこの凹部１５ｃを介してカバー部材１５の上部に突出するよう形成されている。そして、この上方延出部１３ｌのカバー部材１５の上部に突出した部位には、イジェクト釦３４が配設されている。
【００３０】
従って、カバー部材１５上でイジェクト釦３４を操作することが可能となり、ディスクホルダ１２が装填位置にある時にイジェクト釦３４を図中矢印Ｘ２方向に移動操作することにより、スライダー１３は矢印Ｘ２方向に移動し、よってディスクホルダ１２を排出位置に移動させること（イジェクト動作）ができる。
シャッター開閉機構１６は、前記したディスクホルダ１２とスライダー１３との間に配設されている。このシャッター開閉機構１６は、大略するとディスクホルダ１２，スライダー１３，シャッターアーム２７，及びラッチレバー３２等により構成されている。
【００３１】
シャッターアーム２７は略への字状とされた板状アームであり、ディスクホルダ１２にディスクカートリッジ２０を挿入することにより回動し、ディスクカートリッジ２０に設けられているシャッター２３を開く機能を奏するものである。
このシャッターアーム２７は、大略すると軸孔２７ａ、下方延出部２７ｂ，２７ｃ、掛止部２７ｄ、ラッチ連結ピン２７ｅ，及び係合爪２７ｆ等を有した構成とされている。
【００３２】
軸孔２７ａはディスクホルダ１２に配設された軸部１２ｇに挿入され、これによりシャッターアーム２７は軸部１２ｇを中心として回動可能な構成となる。また、下方延出部２７ｂ，２７ｃは、ディスクホルダ１２に形成された溝部１２ｋ，１２ｌに挿入されることにより段部１２ｓと係合する構成となっている。この下方延出部２７ｂ，２７ｃが段部１２ｓと係合することにより、シャッターアーム２７がディスクホルダ１２から離脱するのを防止している。
【００３３】
また、掛止部２７ｄにはコイルバネ２８の一端部が掛止されており、またコイルバネ２８の他端部はディスクホルダ１２に形成された掛止部１２Ｈに掛止されている。このコイルバネ２８は、シャッターアーム２７を常に図５及び図６に矢印Ａ２で示す方向（時計方向）に回動付勢している。
また、係合爪２７ｆは下方（矢印Ｚ２方向）に向け所定量突出した形状を有しており、ディスクホルダ１２にディスクカートリッジ２０が挿入された際、シャッター２３の端部に形成されたシャッター係合部２５（図４（Ａ）（Ｂ）参照）と係合する構成とされている。
【００３４】
更に、係合爪２７ｆの形成位置より所定量Ｘ１方向にずれた位置には、ラッチ連結ピン２７ｅが植設されている。このラッチ連結ピン２７ｅは下方（矢印Ｚ２方向）に向け所定量突出しており、後述するラッチレバー３２と連結される構成となっている。
続いて、ラッチレバー３２について説明する。本実施例では、ラッチレバー３２はシャッターアーム２７と別体とされている。このラッチレバー３２は、ディスクホルダ１２が排出位置にある時にスライダー１３の移動をロックすると共に、ディスクカートリッジ２０の挿入に伴いスライダー１３のロックを解除し、ディスクホルダ１２を装填位置に移動させる機能を奏するものである。
【００３５】
ラッチレバー３２は略Ｕ字状を有した板状レバーであり、大略すると軸孔３２ａ，第１のレバー部３２ｂ，第２のレバー部３２ｃ，Ｕ字状溝３２ｄ，及び掛止部３２ｆ等を有した構成とされている。
軸孔３２ａはディスクホルダ１２に配設された軸部１２ｍに挿入され、これによりラッチレバー３２は軸部１２ｍを中心として回動可能な構成となる。また、軸孔３２ａの外周位置には切り欠き３２ｇ（図５参照）が形成されており、この切り欠き３２ｇにはディスクホルダ１２に形成されたリブ１２ｕが挿通される構成とされている。
【００３６】
この切り欠き３２ｇは、ラッチレバー３２がその機能を奏する回動範囲においてはリブ１２ｕの形成位置と一致しないよう構成されている。よって、リブ１２ｕがラッチレバー３２の軸部１２ｍの外周部分と係合することにより、ラッチレバー３２がディスクホルダ１２から離脱するのを防止している。
第１のレバー部３２ｂは、前記したシャッターアーム２７の下部に位置しており、またその先端部は二股状に分かれることによりＵ字状溝３２ｄを形成している。このＵ字状溝３２ｄはシャッターアーム２７に形成されたラッチ連結ピン２７ｅと係合しており、よってＵ字状溝３２ｄとラッチ連結ピン２７ｅが係合することにより、シャッターアーム２７とラッチレバー３２とは連結された構成となっている。
【００３７】
従って、シャッターアーム２７が図中矢印Ａ１方向に回動することによりラッチレバー３２は図中矢印Ｂ１方向に回動し、またシャッターアーム２７が図中矢印Ａ２方向に回動することによりラッチレバー３２は図中矢印Ｂ２方向に回動する。即ち、シャッターアーム２７とラッチレバー３２とを連結することにより、シャッターアーム２７の回動と、ラッチレバー３２の回動とを同調（同期）させることが可能となる。
【００３８】
尚、シャッターアーム２７とラッチレバー３２との連結位置の上部には、ディスクホルダ１２に形成された舌片状部１２ｎが位置するよう構成されており、この舌片状部１２ｎによりラッチ連結ピン２７ｅがＵ字状溝３２ｄから離脱することを防止している。
一方、第２のレバー部３２ｃには、矩形溝３２ｅ及び係止部３２ｆが設けられている。矩形溝３２ｅは第２のレバー部３２ｃの略中央位置を貫通するよう形成されている。よって、第２のレバー部３２ｃの矩形溝３２ｅが形成された位置は、他の部位に比べて弾性変形し易い弾性変形部として機能する。
【００３９】
また、係止部３２ｆは、第２のレバー部３２ｃの端部に起立するよう形成されると共に、その先端部に折り曲げ部３２ｈを有した構成とされている。この係止部３２ｆは上方（図中矢印Ｚ１方向）に延出することにより、スライダー１３に形成されたカム部３１と係合するよう構成されている。
続いて、上記構成とされたシャッター開閉機構１６において、ディスクカートリッジ２０が装填される時の動作について説明する。
【００４０】
図５及び図７、図９（Ｂ）は、ディスクホルダ１２がカートリッジ挿入・イジェクト位置にある状態（以下、この状態を排出状態という）を示している。この状態では、コイルバネ２８に付勢されることにより、シャッターアーム２７は図示される矢印Ａ２方向限位置に移動しており、またラッチレバー３２は図示される矢印Ｂ２方向限位置に移動した状態となっている。また、排出状態では、ラッチレバー３２に設けられた係止部３２ｆはカム部３１の第１の辺部３１ａと係合しており、よってスライダー１３の矢印Ｘ１方向への移動はロックされている。
【００４１】
上記の排出状態において、ディスクホルダ１２にディスクカートリッジ２０が図中矢印Ｘ２方向に装填されると、先ず図７に示されるように、ディスクカートリッジ２０のシャッター２３（シャッター係合部２５）はシャッターアーム２７の係止爪２７ｆと係合する。
この状態より更にディスクカートリッジ２０を矢印Ｘ２方向に挿入すると、この挿入力によりシャッターアーム２７はコイルバネ２８の付勢力に抗して、図中矢印Ａ１方向に回動を開始する。また、前記のようにラッチレバー３２は、ラッチ連結ピン２７ｅを介してシャッターアーム２７に連結されているため、シャッターアーム２７が矢印Ａ１方向に回動することにより、ラッチレバー３２は図中矢印Ｂ１方向に回動を開始する。
【００４２】
このように、ディスクカートリッジ２０の挿入に伴いシャッターアーム２７が回動することにより、ディスクカートリッジ２０に設けられているシャッター２３は開方向（矢印Ｙ１方向）に移動を開始し、またラッチレバー３２が矢印Ｂ１方向に回動することにより、係止部３２ｆは第１の辺部３１ａ上を矢印Ｂ１方向に摺動する（図９（Ｂ）参照）。
【００４３】
図６及び図８は、ディスクホルダ１２に対しディスクカートリッジ２０が完全に挿入された状態（以下、この状態をディスクカートリッジ挿入状態という）を示している。このディスクカートリッジ挿入状態では、ディスクカートリッジ２０に設けられているシャッター２３はシャッターアーム２７により完全に開かれた状態となっている。また、ラッチレバー３２に設けられた係止部３２ｆは、カム部３１の第１の辺部３１ａと第２の辺部３１ｂとの境界位置（図９（Ａ）（Ｂ）に符合３１ｃで示す位置）に位置している。
【００４４】
第２の辺部３１ｂは図中矢印Ｘ１，Ｘ２方向に延在しており、かつカム部３１が形成されたスライダー１３はコイルバネ２９，３０により図中矢印Ｘ１方向に付勢されている。よって、係止部３２ｆが第２の辺部３１ｂと係合することにより、ラッチレバー３２によるスライダー１３のロックは解除され、スライダー１３は図中矢印Ｘ１方向に移動する。
【００４５】
また、スライダー１３の側部には傾斜溝１３ｄが形成されており、この傾斜溝１３ｄにはディスクホルダ１２の係合ピン１２ｅが係合している。従って、スライダー１３が矢印Ｘ１方向に移動することにより、ディスクホルダ１２は下動（図中、矢印Ｚ２方向に移動）し、ディスクカートリッジ２０を磁気ディスク装置１１内の所定装填位置に移動させる。
【００４６】
この装填完了状態において、シャッター２３が開かれることにより開口２２から露出した磁気ディスク２１に磁気ヘッド１９は摺接し、磁気ディスク２１に対し記録再生処理が行われる。
上記のように、本実施例のシャッター開閉機構１６では、シャッターアーム２７とラッチレバー３２がラッチ連結ピン２７により連結されている。このため、シャッターアーム２７とラッチレバー３２とを別体とした構成としても、シャッター２３が完全に開かれるタイミングと、スライダー１３のロック（係止）が解除されるタイミング（ホルダが下降するタイミング）を同調（同期）させることが可能となる。
【００４７】
即ち、シャッターアーム２７によりシャッター２３が完全に開かれた後に、スライダー１３のロックを解除しディスクホルダ１２の下動を開始させることができる。よって、シャッター２３が完全に開く前にディスクホルダ１２が移動してしまうことはなく、磁気ヘッド１９がシャッターに当接し破損することを確実に防止することができる。
【００４８】
図８及び図９（Ａ）はカートリッジ挿入状態を示しているが、ディスクカートリッジ２０がディスクホルダ１２に勢い良く挿入された場合でも、本実施例の構成では係止爪２７ｆはシャッター２３を開く方向に移動し、シャッター２３から離間することはない。
よって、ディスクカートリッジ２０をディスクホルダ１２に勢い良く挿入しても、シャッター２３とシャッターアーム２７との係合を確実に維持することができる。よって、従来発生していたシャッターアーム２７がシャッター２３から離脱することにより磁気ヘッド１９がシャッター２３に挟まれることを確実に防止することができる。
【００４９】
尚、装填位置にあるディスクホルダ１２をカートリッジ挿入・イジェクト位置に移動させるには、前記したイジェクト釦３４を図中矢印Ｘ２方向に操作することにより行われる。このイジェクト釦３４の操作による各構成要素の動作は、上記した装填時における動作と逆の動作となるため、その説明は省略する。
次に、ラッチレバー３２に設けられている係止部３２ｆに注目し、以下説明する。
【００５０】
前記したように、係止部３２ｆはラッチレバー３２の第２のレバー部３２ｃの先端部に起立するよう形成されている。また、第２のレバー部３２ｃには矩形溝３２ｅが形成されることにより、弾性変形可能な構成となっている。また、係止部３２ｆの先端部には折り曲げ部３２ｈが形成されており、この折り曲げ部３２ｈは係止部３２ｆがカム部３１の第２の辺部３１ｂと対向した状態（即ち、装填完了状態）においても、この第２の辺部３１ｂと係合するよう構成されている。
【００５１】
また、図９（Ａ）（Ｂ）に示されるように、前述したラッチレバー３２の回動に伴い、係止部３２ｆはカム部３１と係合しつつ、スライダー１３に形成されたＬ字状溝１３ｋ内を移動する構成とされている。
前記したように、スライダー１３はコイルバネ２９，３０により図中矢印Ｘ１方向に移動付勢されている。しかるに、ディスクホルダ１２が排出位置にある状態では、係止部３２ｆはカム部３１の図中矢印Ｙ１，Ｙ２方向に延在する第１の辺部３１ａと係合するよう構成されている。また、係止部３２ｆが形成されたラッチレバー３２はディスクホルダ１２に配設されている。よって、係止部３２ｆがカム部３１の第１の辺部３１ａと係合することにより、スライダー１３の図中矢印Ｘ１方向の移動はロックされる（図９（Ｂ）を参照）。
【００５２】
また、ラッチレバー３２が図中矢印Ｂ１方向に回動すると、これに伴い係止部３２ｆも矢印Ｂ１方向に移動する。そして、係止部３２ｆがカム部３１の図中矢印Ｘ１，Ｘ２方向に延在する第２の辺部３１ｂと対向する位置まで移動すると、係止部３２ｆによるスライダー１３のロックは解除され、スライダー１３は図中矢印Ｘ１方向の移動可能な状態となる（図９（Ａ）を参照）。よって、スライダー１３は、コイルバネ２９，３０に付勢されて図中矢印Ｘ１方向に移動する。  尚、図９（Ａ）に示されるように、係止部３２ｆが第２の辺部３１ｂと対向した状態となっても、係止部３２ｆの上端に形成された折り曲げ部３２ｈは第２の辺部３１ｂと係合した状態を維持するよう構成されている。
【００５３】
ここで、ディスクホルダ１２に設けられたホルダロック機構４０について説明する。
図１０はホルダロック機構４０を拡大して示す斜視図である。また、図１１（Ａ）〜（Ｅ）はホルダロック部材５０の構成を示す平面図、側面図、正面図、Ａ−Ａ断面図、Ｂ−Ｂ断面図である。また、図１２はホルダロック部材５０がフレーム１４に係合した状態を示す図である。
【００５４】
図１０及び図１１（Ａ）〜（Ｅ）に示されるように、ホルダロック機構４０は、外部からの衝撃が加えられたときディスクホルダ１２の平面部１２ａが撓んで変形することを防止するために設けられている。
このホルダロック機構４０は、ディスクホルダ１２の平面部１２ａに取り付けられたホルダロック部材（結合部材）５０と、ホルダロック部材５０の端部が係合するフレーム１４の側壁に形成された係合孔５２とからなる。
【００５５】
ホルダロック部材５０は、Ｌ字状に形成されており、図中矢印Ｘ１，Ｘ２方向に延在する第１の延在部５０ａと、図中矢印Ｙ１，Ｙ２方向に延在する第２の延在部５０ｂとを有する。第１の延在部５０ａの端部には、フレーム１４の係合孔５２に係合する係合端部５０ｃが設けられ、第１の延在部５０ａには、ディスクホルダ１２の平面部１２ａから切り起こされて図中矢印Ｘ１，Ｘ２方向に延在する一対の係合片５４が係合する係合部５０ｄが設けられている。
【００５６】
尚、係合部５０ｄは、図中矢印Ｘ１，Ｘ２方向に延在する長方形の孔５０ｅ内に横架されるように形成されており、係合片５４との係合により摺動方向が規制されると共に、ディスクホルダ１２の平面部１２ａに上下方向への移動ができないように保持される。また、係合端部５０ｃ及び係合部５０ｄは、図１１（Ｄ）（Ｅ）に示されるように、夫々断面形状がＵ字状またはＶ字状にプレス加工されており、強度が高められている。
【００５７】
また、第２の延在部５０ｂには、シャッターアーム２７の先端部より突出する係合部４１に係合する孔５０ｆが設けられている。従って、ホルダロック部材５０は、ディスクホルダ１２にディスクカートリッジ２０が挿入される過程でシャッターアーム２７が回動するのに連動して図中矢印Ｘ１方向に摺動し、ディスクカートリッジ２０のイジェクト動作に連動して図中矢印Ｘ２方向に摺動する。
【００５８】
すなわち、ホルダロック部材５０は、ディスクホルダ１２にディスクカートリッジ２０が挿入されていないとき、図中矢印Ｘ２方向に摺動して図１２に示されるように係合端部５０ｃをフレーム１４の側壁に設けられた係合孔５２に係合させる。
また、係合端部５０ｃは、ディスクホルダ１２の平面部１２ａから垂立した垂立部５５の孔５５ａに貫通しており、ディスクホルダ１２及びフレーム１４の係合孔５２に係合することによりディスクホルダ１２をフレーム１４に対して上下方向に動作しないようにロックする。
【００５９】
これにより、ディスクカートリッジ２０がディスクホルダ１２に挿入されていない状態において、ディスクホルダ１２の平面部１２ａは、ホルダロック部材５０を介してフレーム１４に結合されており、フレーム１４の側壁にロックされることにより耐衝撃性がより高められている。従って、落下テストあるいは運搬中の落下等により外部から衝撃が加えられた場合でもディスクホルダ１２の平面部１２ａが撓んで変形してしまうことが防止される。
【００６０】
よって、記録媒体装填装置１０は、例え外部から衝撃が加えられても、ディスクホルダ１２の平面部１２ａが変形しないため、従来のようにヘッドキャリッジ１８のアッパーアーム１８ａのロード位置が変動せず、上側磁気ヘッド１９のロード位置を正規の位置に保持することができ、ディスクカートリッジ２０が挿入される過程で上側磁気ヘッド１９がディスクカートリッジ２０に接触することが防止される。
【００６１】
また、ホルダロック部材５０は、ディスクホルダ１２にディスクカートリッジ２０が挿入されるのに伴って、図中矢印Ｘ１方向に摺動して係合端部５０ｃが係合孔５２から離間する。そのため、ディスクホルダ１２は、ディスクカートリッジ２０が挿入されると共に、ホルダロック部材５０によるロックが解除されて、装填位置への下降動作が可能になる。
【００６２】
次に、ディスクホルダ１２に設けられたホルダ・スライダ変形防止機構４２について説明する。
ホルダ・スライダ変形防止機構４２は、図１に示されるようにディスクホルダ１２の平面部１２ａに回動可能に支持されたホルダ・スライダ変形防止部材５６と、ホルダ・スライダ変形防止部材５６を垂直状態に保持するように附勢するトーションバネ５８とから構成されている。
【００６３】
また、ホルダ・スライダ変形防止部材５６は、ディスクカートリッジ２０がディスクホルダ１２に挿入されていないときは、図３及び図５に示されるように垂直状態に保持されており、ディスクホルダ１２の平面部１２ａ及びスライダー１３の変形を防止している。そして、図６に示されるように、ディスクカートリッジ２０がディスクホルダ１２に挿入される過程で、ホルダ・スライダ変形防止部材５６は、ディスクカートリッジ２０の挿入側端部に押圧されて回動し、水平状態になってディスクカートリッジ２０の挿入動作を妨げないように設けられている。
【００６４】
図１３（Ａ）〜（Ｃ）はホルダ・スライダ変形防止機構４２のホルダ・スライダ変形防止部材５６の正面図、底面図、側面図である。また、図１４はホルダ・スライダ変形防止部材５６の支持機構を示す斜視図である。また、図１５（Ａ）（Ｂ）はディスクカートリッジ挿入前・イジェクト後の状態を示す側面図、ディスクカートリッジ挿入後の装填状態を示す側面図である。
【００６５】
図１３（Ａ）〜（Ｃ）に示されるように、ホルダ・スライダ変形防止部材５６は、図中矢印Ｙ１，Ｙ２方向に延在する軸部５６ａと、軸部５６ａの両端付近で軸部５６ａの延在方向と直交する半径方向に延在する一対の支持脚５６ｂ，５６ｃと、一対の支持脚５６ｂ，５６ｃ間に横架された梁５６ｄと、軸部５６ａの両端より軸方向に突出し回動可能に支持される回動軸５６ｅ，５６ｆとからなる。ホルダ・スライダ変形防止部材５６は、ディスクホルダ１２の平面部１２ａの中央に設けられた開口５７に横架されるように取り付けられており、回動軸５６ｅ，５６ｆが開口５７の両側で切り起こされた支持部５７ａ，５７ｂにより回動可能に支持される。
【００６６】
また、軸部５６ａの右端には、トーションバネ５８が巻装されている。このトーションバネ５８は、一端５８ａが開口５７の周縁部より突出する掛止部５７ｃに掛止され、他端５８ｂが支持脚５６ｃに形成された掛止溝５６ｇに嵌合掛止される。
図１４に示されるように、ホルダ・スライダ変形防止部材５６は、トーションバネ５８のバネ力により回動附勢されており、支持部５７ａ，５７ｂが垂下方向に延在する向きでディスクホルダ１２の開口５７に設けられたストッパ１２ｖにより垂直状態に掛止される。従って、ホルダ・スライダ変形防止部材５６は、ディスクカートリッジ２０がディスクホルダ１２に挿入されていないとき、ディスクホルダ１２の内部に支持脚５６ｂ，５６ｃが下方に延在している垂直状態に保持される。このとき、支持脚５６ｂ，５６ｃの端部は、フレーム１４の平板部に近接した状態となる。
【００６７】
図１５（Ａ）に示されるように、ディスクカートリッジ２０が挿入されていない状態で上下方向の加速度（図中矢印Ｚ１，Ｚ２方向の衝撃）を受けると、支持脚５６ｂ，５６ｃがフレーム１４に当接し、ディスクホルダ１２の平面部１２ａ及びスライダー１３を支持する。これにより、ディスクカートリッジ２０が挿入されていない状態では、運搬中に落下されてもホルダ・スライダ変形防止部材５６が落下の荷重を支えることができ、ホルダ・スライダ変形防止部材５６によりディスクホルダ１２の平面部１２ａ及びスライダー１３の耐衝撃性が向上している。
【００６８】
よって、ディスクホルダ１２の平面部１２ａ及びスライダー１３は、外部からの衝撃荷重を受けてもホルダ・スライダ変形防止部材５６により支持されて変形が防止される。その結果、記録媒体装填装置１０は、例え外部から衝撃が加えられても、ディスクカートリッジ２０をスムーズにディスクホルダ１２に挿入することができる。
【００６９】
さらに、ホルダ・スライダ変形防止部材５６の作用により、外部からの衝撃荷重を受けてディスクホルダ１２の平面部１２ａが変形することが防止されるため、例えば互いに対向する上下側の磁気ヘッド１９，１９間の間隔が狭くなり、磁気ヘッド１９，１９同志が衝突して破損することが防止される。
図１５（Ｂ）に示されるように、ディスクカートリッジ２０がディスクホルダ１２に挿入される際は、支持部５７ａ，５７ｂにディスクカートリッジ２０の挿入側端部が当接すると共に、ホルダ・スライダ変形防止部材５６が挿入方向に回動し、ディスクホルダ１２の平面部１２ａとほぼ同じ高さで水平状態になる。そのため、ディスクカートリッジ２０は、ホルダ・スライダ変形防止部材５６を回動させながら挿入されることになる。
【００７０】
次にカートリッジ飛び出し防止機構４４について説明する。
図１５（Ｂ）及び図９（Ａ）に示されるように、カートリッジ飛び出し防止部材４４は、ディスクカートリッジ２０の右側面後部に位置するようにディスクホルダ１２に取り付けられている。そして、カートリッジ飛び出し防止部材４４は、ディスクカートリッジ装填時はディスクカートリッジ２０を係止してディスクカートリッジ２０の飛び出しを防止する。
【００７１】
また、図１５（Ａ）及び図９（Ｂ）に示されるように、カートリッジ飛び出し防止部材４４は、ディスクカートリッジ挿入・イジェクト時はディスクカートリッジ２０の挿入動作またはイジェクト動作を妨げないように係止解除位置に変位する。
図１６（Ａ）〜（Ｃ）はカートリッジ飛び出し防止部材４４の構成を示す平面図、正面図、側面図である。
【００７２】
図１６（Ａ）〜（Ｃ）に示されるように、カートリッジ飛び出し防止部材４４は、ディスクホルダ１２の平面部１２ａに固定される固定部４４ａと、固定部４４ａの側部から垂下方向に延在する側板４４ｂと、固定部４４ａの下方に対向するように図中矢印Ｘ１，Ｘ２方向に延在する板バネ状の腕部４４ｃと、腕部４４ｃの先端で鉤型に形成された係止部４４ｄと、係止部４４ｄの近傍で上方に垂立する垂立部４４ｅとを有する。
【００７３】
固定部４４ａと腕部４４ｃとの間は、側板４４ｂにより結合されており、断面がコ字状となるように形成されている。固定部４４ａは、ディスクホルダ１２の平面部１２ａに固定される係止孔４４ｆ，４４ｇを有する。側板４４ｂは、ディスクホルダ１２の側面に当接し、腕部４４ｃがディスクホルダ１２の下面に当接するように設けられている。そして、腕部４４ｃは、矢印Ｘ２方向に延在し、先端部分が自由端になっている。
【００７４】
また、垂立部４４ｅの上端には、ディスクカートリッジ挿入前・イジェクト後にスライダー１３の下面に当接する当接部４４ｈが設けられている。ディスクカートリッジ挿入・イジェクト時は、当接部４４ｈがスライダー１３の下面に当接して腕部４４ｃの先端部分を下方に押圧している。
そのため、カートリッジ飛び出し防止部材４４の腕部４４ｃが先端部分を下方に移動させるように撓む。係止部４４ｄはディスクホルダ１２に挿入されたディスクカートリッジ２０の下方に変位して凹部２０ａ（図４（Ａ）（Ｂ）参照）から離間する。
【００７５】
そして、ディスクホルダ１２にディスクカートリッジ２０が挿入されると、スライダー１３の移動によりディスクホルダ１２が装填位置に降下する。その際、カートリッジ飛び出し防止部材４４の当接部４４ｈがスライダー１３から離間する。これにより、カートリッジ飛び出し防止部材４４の腕部４４ｃが水平状態に復帰すると共に、係止部４４ｄがディスクカートリッジ２０の凹部２０ａに嵌合してディスクカートリッジ２０がディスクホルダ１２から飛び出すことを防止する。
【００７６】
従って、記録媒体装填装置１０は、外部からの衝撃を受けてディスクカートリッジ２０を所定の装填位置に位置決めするボス６４（フレーム１４上に固定された突起、図１５（Ｂ）参照）がディスクカートリッジ２０から外れても、カートリッジ飛び出し防止部材４４によりディスクカートリッジ２０の飛び出しが確実に防止される。
【００７７】
従って、記録媒体装填装置１０は、外部からの衝撃を受けてディスクカートリッジ２０を所定の装填位置に位置決めするボス６４がディスクカートリッジ２０の係合凹部２０ｂ（図４（Ａ）（Ｂ）参照）から外れても、カートリッジ飛び出し防止部材４４によりディスクカートリッジ２０の飛び出しが確実に防止される。
【００７８】
また、外部からの衝撃を受けて外部からの衝撃を受けた場合、ディスクホルダ１２が上下動してフレーム１４上に突出するボス６４がディスクカートリッジ２０の係合凹部２０ｂから外れても、カートリッジ飛び出し防止部材４４よりディスクカートリッジ２０が係止されているので、ディスクホルダ１２が装填位置に復帰したとき、再びディスクカートリッジ２０の係合凹部２０ｂにフレーム１４上のボス（図示せず）が係合してディスクカートリッジ２０を所定の装填位置に位置決めすることができる。
【００７９】
次にダンパー機構１７について説明する。
図１７はダンパー機構１７の取付状態を下面側からみた状態を示す斜視図である。また、図１８（Ａ）（Ｂ）はダンパーアームの平面図、断面図である。また、図１９（Ａ）はディスクカートリッジ挿入・イジェクト時のダンパーアーム３５の動作位置を示す平面図、図１９（Ｂ）はディスクカートリッジ装填時のダンパーアーム３５の動作位置を示す平面図である。
【００８０】
図１７に示されるように、ダンパー機構１７は大略すると、ダンパーアーム３５、ダンパーアーム３５の摺動部３５ｄに塗布されたグリス（図示せず）により構成されている。
ダンパーアーム３５は、大略すると軸孔３５ａ、連結孔３５ｂ、腕部３５ｃ、摺動部３５ｄ、及び突起３５ｅ等を有した構成とされている。軸孔３５ａはカバー部材１５の背面に突出形成された軸部１５ａに挿入され、これによりダンパーアーム３５は軸部１５ａに回動可能に軸承された構成となる。また、軸孔３５ａの外周位置には切り欠き３５ｆが形成されており、この切り欠き３５ｆにはカバー部材１５に形成されたリブ１５ｂが挿通される構成とされている。
【００８１】
この切り欠き３５ｆは、ダンパーアーム３５がその機能を奏する回動範囲においてはリブ１５ｂの形成位置と一致しないよう構成されている。また、ダンパーアーム３５の先端（図中矢印Ｄ１方向先端）に形成された突起部３５ｅは、カバー部材１５に切り起こし形成された係合部１５ｆと係合するよう構成されている。
【００８２】
よって、リブ１５ｂがダンパーアーム３５の外周部分３５ｇと係合することにより、ダンパーアーム３５がカバー部材１５から離脱するのを防止している。また、ダンパーアーム３５の突起部３５ｅが係合部１５ｆと係合することにより、ダンパーアーム３５の図中矢印Ｚ１，Ｚ２方向の変動は規制され、安定した回動を行えるよう構成されている。
【００８３】
連結孔３５ｂは軸孔３５ａに対し図中矢印Ｙ２方向端部に配設された長孔であり、この連結孔３５ｂには前記したスライダー１３に形成されたダンパー用連結ピン１３ｍが係合する。これにより、ダンパーアーム３５はスライダー１３と連結された構成となる。
前記したように、スライダー１３は図中矢印Ｘ１，Ｘ２方向に移動する構成とされている。よって、スライダー１３が図中矢印Ｘ１方向に移動することによりダンパーアーム３５は図中矢印Ｋ１方向に回動し、またスライダー１３が図中矢印Ｘ２方向に移動することによりダンパーアーム３５は図中矢印Ｋ２方向に回動する。尚、カバー部材１５のダンパー用連結ピン１３ｍの移動範囲と対向する部位には貫通孔１５ｅが形成されており、カバー部材１５とダンパー用連結ピン１３ｍとが摺接することを防止している。
【００８４】
また、ダンパーアーム３５は、図中矢印Ｄ１，Ｄ２方向に延在する腕部３５ｃの中央に開口３５ｈが形成されており、開口３５ｈには摺動部３５ｄが設けられている。この摺動部３５ｄは、図中矢印Ｄ１方向に延在する板バネ３５ｉにより支持されている。
板バネ３５ｉは、一端が開口３５ｈの縁部と一体的に結合されており、他端が摺動部３５ｄと結合されている。そして、板バネ３５ｉは、カバー部材１５に向けて傾斜しており、摺動部３５ｄを所定圧でカバー部材１５に押圧するように撓んでいる。
【００８５】
ダンパーアーム３５は、図１９（Ａ）（Ｂ）において、破線で示すように、ディスクカートリッジ２０の挿入・イジェクト操作に伴うスライダー１３の動作に連動して図中矢印Ｋ１，Ｋ２方向に回動する。その際、摺動部３５ｄは、板バネ３５ｉの撓み量に応じて常にカバー部材１５に対し一定圧で押圧しながら摺動する。そして、摺動部３５ｄのカバー部材１５に対向する摺動面には、所定の粘性を有するグリスが塗布されている。
【００８６】
ダンパーアーム３５は、摺動部３５ｄがグリスを介在させてカバー部材１５を摺動するため、カバー部材１５に対しグリスによる粘性抵抗を受けながら回動することになる。従って、スライダー１３は、ダンパーアーム３５の回動動作に伴う粘性抵抗によりディスクカートリッジ２０の挿入動作及びイジェクト動作を減速するように動作する。
【００８７】
このように、スライダー１３の摺動動作に伴って摺動部３５ｄがカバー部材１５を摺動することにより一定の粘性抵抗が発生する。この抵抗力がスライダー１３の摺動動作を減速するように作用し、ひいてはディスクホルダ１２がカートリッジ挿入・イジェクト位置またはカートリッジ装填位置に移動する際の加速度を減速させて移動時の衝撃を緩和できる。
【００８８】
また、ダンパー機構１７は、従来用いられていたオイルダンパー等に比べて小型化でき、よって記録媒体装填装置の小型化を図ることができる。
さらに、ダンパーアーム３５は、図１８（Ａ）（Ｂ）に示されるように、１枚の板金をプレス加工することにより一体形成されているので、部品点数が大幅に減少しており、製造コストも安価で済むので、ひいては装置のコストダウンにも貢献している。
【００８９】
尚、上記した実施例では、記録媒体装填装置１０を磁気ディスク装置１１に適用した例を挙げて説明したが、本発明の適用は磁気ディスク装置に限定されるものではなく、これ以外の例えば光ディスク装置あるいは光磁気ディスク装置あるいはメモリカード等のカード状の記録媒体が装着される記録再生装置等にも適用することも可能である。
【００９０】
また、上記実施例では、スライダー１３がディスクホルダ１２の上方を摺動する構成を一例として説明したが、これに限らず、例えばスライダー１３がディスクホルダ１２の下方を摺動する構成のものにも本発明を適用することができる。
【００９１】
【発明の効果】
上述の如く、本発明によれば、ダンパー機構がスライダーの摺動動作に連動して回動することによりカバー部材を摺動する摺動部と、摺動部を一定圧でカバー部材に押圧するバネ部とが一体的に形成され、摺動部に粘性抵抗を付与するよう構成されているため、スライダーの摺動動作に伴って摺動部がカバー部材を摺動することにより一定の粘性抵抗が発生する。この抵抗力がスライダーの摺動動作を減速するように作用し、ひいてはディスクホルダがカートリッジ挿入・イジェクト位置またはカートリッジ装填位置に移動する際の加速度を減速させて移動時の衝撃を緩和できる。また、従来用いられていたオイルダンパー等に比べてダンパー機構を小型化でき、よって記録媒体装填装置の小型化を図ることができる。また、部品点数を削減して構成の簡略化と共にコストダウンを図ることができる。
【図面の簡単な説明】
【図１】本発明の一実施例である記録媒体装填装置を示す分解斜視図である。
【図２】本発明の一実施例である記録媒体装填装置を示す図であり、（Ａ）は記録媒体装填装置の平面図、（Ｂ）は記録媒体装填装置の側面図である。
【図３】本発明の一実施例である記録媒体装填装置を示す斜視図である。
【図４】記録媒体装填装置１０に装填されるディスクカートリッジ２０を示す図であり、（Ａ）はディスクカートリッジ２０の斜視図、（Ｂ）はディスクカートリッジ２０の底面図である。
【図５】本発明の一実施例である記録媒体装填装置に配設されるシャッター開閉機構の動作を説明するためスライダーを取り外した状態を示す図である（排出状態）。
【図６】本発明の一実施例である記録媒体装填装置に配設されるシャッター開閉機構の動作を説明するためスライダーを取り外した状態を示す図である（カートリッジ挿入状態）。
【図７】本発明の一実施例である記録媒体装填装置に配設されるシャッター開閉機構の動作をディスクカートリッジの挿入動作と共に説明するための図である（排出状態）。
【図８】本発明の一実施例である記録媒体装填装置に配設されるシャッター開閉機構の動作をディスクカートリッジの挿入動作と共に説明するための図である（カートリッジ挿入状態）。
【図９】本発明の一実施例である記録媒体装填装置に配設されるラッチレバーの掛止部近傍を拡大して示す斜視図であり、（Ａ）は装填完了状態を、（Ｂ）は排出状態を示す図である。
【図１０】ホルダロック機構４０を拡大して示す斜視図である。
【図１１】ホルダロック部材５０の構成を示す図であり、（Ａ）は平面図、（Ｂ）は側面図、（Ｃ）は正面図、（Ｄ）はＡ−Ａ断面図、（Ｅ）はＢ−Ｂ断面図である。
【図１２】ホルダロック部材５０の先端部がフレーム１４に係合した状態を示す図である。
【図１３】ホルダ・スライダ変形防止機構４２のホルダ・スライダ変形防止部材５６を示す図であり、（Ａ）は正面図、（Ｂ）は底面図、（Ｃ）は側面図である。
【図１４】ホルダ・スライダ変形防止部材５６の支持機構を示す斜視図である。
【図１５】記録媒体装填装置の装填動作及びイジェクト動作を示す側面図であり、（Ａ）はディスクカートリッジ挿入前・イジェクト後の状態を示す側面図、（Ｂ）はディスクカートリッジ挿入後の装填状態を示す側面図である。
【図１６】カートリッジ飛び出し防止部材４４の構成を示す図であり、（Ａ）は平面図、（Ｂ）は正面図、（Ｃ）は側面図である。
【図１７】ダンパー機構１７の取付状態を下面側からみた状態を示す斜視図である。
【図１８】ダンパーアーム３５の構成を示す図であり、（Ａ）は平面図、（Ｂ）は断面図である。
【図１９】ダンパーアーム３５の動作を示す図であり、（Ａ）はディスクカートリッジ挿入・イジェクト時のダンパーアーム３５の動作位置を示す平面図、（Ｂ）はディスクカートリッジ装填時のダンパーアーム３５の動作位置を示す平面図である。
【符号の説明】
１０  記録媒体装填装置
１１  磁気ディスク装置
１２  ディスクホルダ
１３  スライダー
１４  フレーム
１５  カバー部材
１６  シャッター開閉機構
１７  ダンパー機構
１８  ヘッドキャリッジ
２０  カートリッジ
２１  磁気ディスク
２３  シャッター
２７  シャッターアーム
３２  ラッチレバー
３５  ダンパーアーム
４０  ホルダロック機構
４２  ホルダ・スライダ変形防止機構
４４  カートリッジ飛び出し防止部材
５０  ホルダロック部材
５２  係合孔
５４  係合片
５６  ホルダ・スライダ変形防止部材
５８  トーションバネ
【図１】
0003656485.tif 000002
【図２】
0003656485.tif 000003
【図３】
0003656485.tif 000004
【図４】
0003656485.tif 000005
【図５】
0003656485.tif 000006
【図６】
0003656485.tif 000007
【図７】
0003656485.tif 000008
【図８】
0003656485.tif 000009
【図９】
0003656485.tif 000010
【図１０】
0003656485.tif 000011
【図１１】
0003656485.tif 000012
【図１２】
0003656485.tif 000013
【図１３】
0003656485.tif 000014
【図１４】
0003656485.tif 000015
【図１５】
0003656485.tif 000016
【図１６】
0003656485.tif 000017
【図１７】
0003656485.tif 000018
【図１８】
0003656485.tif 000019
【図１９】
0003656485.tif 000020